【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
二つの地上局にあるトランシーバ間のデータ通信用の無線ルートを提供するための、地球を周回する複数の衛星を備える無線通信システムであって、衛星および地上局のそれぞれが前記システムのノードを含み、複数の前記衛星のそれぞれは、
少なくとも１つの地上局からの初期無線信号を受信し、ルーティング信号を送信するための複数の衛星アンテナと、
前記衛星が初期無線信号を地上局から受信したときのその地上局を特定するアドレス情報と、前記衛星が前記初期無線信号を受信した前記衛星アンテナを特定する識別情報と、を保持するためのアンテナペアリング回路と、
複数の前記衛星アンテナからルーティング信号を送信するためのルート生成回路であって、前記ルーティング信号が、（ｉ）前記初期無線信号を送信した前記地上局のアドレスを含むリンキング情報と、（ｉｉ）前記保持されるアドレスによって特定される前記地上局への無線ルートにおけるノードとしての、前記衛星の適切性を示す前記受信された初期無線信号の質と、を含む、ルート生成回路と、を含む無線通信システム。
【請求項２】
前記衛星アンテナが方向性アンテナである請求項１に記載のシステム。
【請求項３】
前記衛星アンテナが、前記衛星のそれぞれを取り囲む実質的に全ての球面空間の周りで複数方向の無線信号を送受信するよう構成される請求項２に記載のシステム。
【請求項４】
前記衛星アンテナが、前記衛星のそれぞれを取り囲む球面空間全体よりも少ない部分の周りで複数方向の無線信号を送受信するよう構成される請求項２に記載のシステム。
【請求項５】
前記衛星ノードが第１タイプとして指定され、前記地上局ノードが第２タイプとして指定され、同じタイプのノードが互いに通信しない請求項１に記載のシステム。
【請求項６】
前記ルーティング信号がデジタルデータのパケットを含み、各パケットが、
前記リンキング情報と前記受信された初期無線信号の前記質とを含むヘッダと、
ルーティング信号を受信する別のノードによって、前記衛星から受信された前記ルーティング信号の前記質を決定するために用いられるサンプルデータストリームを含むペイロードと、を含む請求項１に記載のシステム。
【請求項７】
前記受信されたルーティング信号の前記質が前記サンプルデータストリームの誤り率に少なくとも部分的に基づく定量的性能指数として表現される請求項６に記載のシステム。
【請求項８】
前記複数の衛星のそれぞれがさらに複数の太陽光パネルを含み、前記衛星がその周回中に太陽光放射に曝されたときに衛星の向きによらずに発電するように少なくともひとつの太陽光パネルが向けられている、請求項１に記載のシステム。
【請求項９】
前記複数の衛星のそれぞれがさらに、前記衛星アンテナに電力を供給するためのバッテリモジュールを含み、前記バッテリモジュールが前記衛星がその周回中に太陽光放射に曝されたときに前記少なくともひとつの太陽光パネルによって充電される請求項８に記載のシステム。
【請求項１０】
前記太陽光パネルが前記衛星に軌道において回転させるよう構成される請求項８に記載のシステム。
【請求項１１】
受信地上局から送信地上局へのデータ通信用の無線通信ルートを生成するための方法であって、前記地上局が無線信号を送受信するための複数の地上局方向性アンテナを含み、前記方法が、
（ａ）ランダムな軌道で地球を周回する複数の衛星を提供することであって、複数の前記衛星のそれぞれが無線信号を送受信するための複数の衛星方向性アンテナを含む、提供することと、
（ｂ）少なくともひとつの衛星の衛星アンテナにおいて、送信地上局のアンテナから送信された初期情報信号を受信することと、
（ｃ）前記初期情報信号を受信した衛星のいずれかにおいて、少なくとも、（ｉ）前記初期情報信号が前記地上局から受信されたときのその前記地上局を特定するアドレス情報と、（ｉｉ）前記初期情報信号が受信された前記衛星アンテナの識別情報と、を保持することと、
（ｄ）前記初期情報信号を受信した少なくともひとつの衛星の複数の前記アンテナからリンキング情報信号を送信することであって、前記リンキング情報信号が、（ｉ）前記初期情報信号を送信した前記地上局のアドレスを含むリンキング情報と、（ｉｉ）前記保持されるアドレスによって特定される前記地上局への無線ルートにおけるノードとしての、前記衛星の適切性を示す前記受信された初期情報信号の質と、を含む、送信することと、
（ｅ）少なくともひとつのリンキング情報信号を受信した受信地上局において、（ｉ）前記リンキング情報信号が受信された前記受信地上局アンテナと、（ｉｉ）前記リンキング情報信号を送信した前記衛星において受信された前記初期情報信号の質と、を保持することと、
（ｆ）特定の衛星を介した前記受信地上局から前記送信地上局へのデータ通信用の無線ルートの質を、（ｉ）前記受信地上局からの無線ルートにおけるノードとしての、前記特定の衛星の適切性を示す前記受信されたリンキング情報信号の質と、（ｉｉ）前記初期情報信号の前記質と、に基づいて決定することと、を含む方法。
【請求項１２】
前記衛星がノードの第１タイプとして指定され、前記地上局がノードの第２タイプとして指定され、同じタイプのノードが互いに通信しない請求項１１に記載の方法。
【請求項１３】
前記受信地上局から前記送信地上局へのデータ伝送を送信することをさらに含み、
ノードの前記第１タイプが無線信号を第１モードでのみ送信すると共に無線信号を第２モードでのみ受信し、該第２モードが前記第１モードでの送信との干渉を実質的に除去し、ノードの前記第２タイプが無線信号を前記第１モードでのみ受信すると共に無線信号を前記第２モードでのみ送信する、請求項１２に記載の方法。
【請求項１４】
前記初期情報信号が、少なくとも、前記送信地上局アドレス情報と、前記受信された初期情報信号の前記質を決定するために前記衛星によって用いられるサンプルデータストリームを含むペイロードと、を含むヘッダを含むデジタルデータのパケットを含み、
前記リンキング情報信号が、少なくとも、前記リンキング情報と、前記受信された初期情報信号の前記質と、前記受信されたリンキング情報信号の前記質を決定するために前記受信地上局によって用いられるサンプルデータストリームを含むペイロードと、を含むヘッダを含むデジタルデータのパケットを含む請求項１１に記載の方法。
【請求項１５】
前記衛星によって受信された前記初期情報信号の前記質および前記受信地上局によって受信された前記リンキング情報信号の前記質が、前記対応するサンプルデータストリームの誤り率に少なくとも部分的に基づく定量的性能指数として表現される請求項１４に記載の方法。
【請求項１６】
受信地上局を含む送信元から送信地上局を含む宛先へのデジタルデータのパケットを含むデータ伝送を通信することをさらに含み、
各データ伝送パケットが、前記宛先のアドレス情報と、前記伝送の前記コンテンツを表すデータストリームを含むペイロードと、を含み、
前記送信元が、前記リンキング情報信号が受信された前記受信地上局アンテナを用いて前記特定の衛星にデジタルデータの前記パケットを送信し、
前記特定の衛星が、前記初期情報信号が受信された前記特定の衛星の前記アンテナを用いて、前記宛先に、デジタルデータ伝送の前記パケットを送信する請求項１５に記載の方法。
【請求項１７】
前記データ伝送が複数のパケットを含み、前記ヘッダが前記伝送の前記コンテンツを含む前記パケットの前記元の順序を示すシーケンス情報を含み、前記送信元から前記宛先への前記無線ルートが前記データ伝送中に異なる衛星を用い、前記宛先が前記シーケンス情報を用いることで前記パケットを前記元の順序にする請求項１６に記載の方法。
【請求項１８】
前記衛星アンテナが、前記衛星を取り囲む実質的に全ての球面空間の周りで複数方向の無線信号を送受信するよう構成され、前記地上局アンテナが、前記地上局を取り囲む地球表面の上の実質的に全ての半球面空間の周りで複数方向の無線信号を送受信するよう構成される請求項１１に記載の方法。
【請求項１９】
前記衛星アンテナが、前記衛星のそれぞれを取り囲む球面空間全体よりも少ない部分の周りで複数方向の無線信号を送受信するよう構成される請求項１１に記載の方法。
【請求項２０】
前記決定するステップが、前記受信地上局によって、前記衛星または他の地上局と通信する制御コンピュータ無しで行われる請求項１１に記載の方法。
【請求項２１】
回転軸周りの回転速度を伴って前記衛星を展開することをさらに含む請求項１１に記載の方法。
【請求項２２】
送信元地上局から宛先地上局へのデータ通信用の無線通信ルートであって、前記ルートが前記地上局と通信する、地球を周回する複数の衛星のうちの少なくともひとつを備え、各地上局が複数の方向からの無線信号を受信し、かつ、複数の方向に無線信号を送信するための複数の方向性アンテナを含み、前記衛星は、
複数方向から無線信号を受信し、複数方向へ無線信号を送信するための複数の指向性アンテナと、
初期情報信号が宛先地上局から送信されたときのその宛先地上局を特定するアドレス情報と、前記衛星が前記初期情報信号を受信した前記衛星アンテナの識別情報と、を保持するためのアンテナペアリング回路と、
複数の前記衛星アンテナから、前記初期情報信号を送信する前記送信元地上局のアドレスを含むリンキング情報を含むリンキング情報信号を送信するためのルート生成回路と、を含み、
前記送信元地上局において受信され、かつ、特定の宛先地上局を指定するデータ伝送は、リンキング情報信号が受信された地上局アンテナを用いて前記送信元地上局によって送信され、
前記衛星が、前記衛星にその前記識別情報が保持される前記衛星アンテナを用いて前記データ伝送を送信する無線通信ルート。
【請求項２３】
複数の衛星を含み、
第１衛星の前記アンテナペアリング回路が、それが初期情報信号を宛先地上局から受信したときのその宛先地上局を特定するアドレス情報と、前記初期情報信号が受信された前記第１衛星の前記アンテナを特定する第１衛星アンテナ情報と、を保持し、
前記第１衛星の前記ルート生成回路が、前記第１衛星の複数の前記アンテナから中間リンキング情報信号を送信し、
ｎ番目の衛星の前記アンテナペアリング回路が、前記中間リンキング情報信号が受信された前記ｎ番目の衛星の前記アンテナの前記識別情報を保持し、
前記ｎ番目の衛星の前記ルート生成回路が、前記ｎ番目の衛星の複数の前記アンテナからｎ番目のリンキング情報信号を送信し、
前記送信元地上局において受信され、かつ、特定の宛先地上局を指定するデータ伝送は、ｎ番目のリンキング情報信号が受信された前記アンテナを用いて前記送信元地上局によって送信され、
前記ｎ番目の衛星が、前記ｎ番目の衛星に前記識別情報が保持される前記アンテナを用いて前記データ伝送データを送信し、前記第１衛星が、前記第１衛星に前記識別情報が保持される前記アンテナを用いて前記データ伝送データを送信する請求項２２に記載の無線通信ルート。
【請求項２４】
第１の所定数の衛星がノードの第１タイプとして指定され、前記地上局がノードの第２タイプとして指定され、同じタイプのノードが互いに通信せず、  
少なくともひとつの衛星がノードの前記第２タイプとして指定される請求項２２に記載の無線通信ルート。
【請求項２５】
請求項２２の前記無線ルートを用いて、前記送信元地上局から宛先地上局へデータ通信を送信する方法であって、
前記宛先局の前記アドレスを暗号化された形態で指定するデータ伝送と、前記伝送の前記コンテンツを表すデータストリームを含むペイロードと、を前記送信元地上ノードに提供することを含み、
所定の地理的エリア内の宛先地上局のみが前記データストリームへのアクセスを可能とする復号キーを含む方法。
【請求項２６】
前記宛先地上局と中間地上局との間の、第１衛星を介した第１中間無線ルートと、前記中間地上局と前記送信元地上局との間の、第２衛星を介した第２中間無線ルートと、を備える請求項２２に記載の無線通信ルート。
【請求項２７】
前記衛星が回転軸周りで回転し、
前記複数の衛星のそれぞれがさらに、前記回転軸の周りのモーメントを前記衛星に付与するよう構成された複数の太陽光パネルを含む請求項２２に記載の無線通信ルート。
【請求項２８】
請求項２７の前記無線ルートを用いて、前記送信元地上局から宛先地上局へ通信を送信する方法であって、
デジタルデータのパケットを含むデータ伝送を前記送信元地上ノードに提供することであって、各データ伝送パケットが、前記宛先局の前記アドレスを暗号化された形態で指定するヘッダと、前記伝送の前記コンテンツを表すデータストリームを含むペイロードと、を含む、提供することを含み、
所定の地理的エリア内の宛先地上局のみが前記データストリームへのアクセスを可能とする復号キーを含む方法。
【請求項２９】
前記衛星アンテナが、各衛星を取り囲む実質的に全ての球面空間の周りで複数方向の無線信号を送受信するよう構成される請求項２２に記載の無線通信ルート。
【請求項３０】
前記衛星アンテナが、各衛星を取り囲む球面空間全体よりも少ない部分の周りで複数方向の無線信号を送受信するよう構成される請求項２２に記載の無線通信ルート。
【請求項３１】
前記衛星が姿勢制御なしにランダム軌道で地球を周回する請求項１に記載の無線通信システム。
【請求項３２】
前記衛星アンテナが方向性アンテナである請求項３１に記載のシステム。
【請求項３３】
前記衛星アンテナが、前記衛星のそれぞれを取り囲む実質的に全ての球面空間の周りで複数方向の無線信号を送受信するよう構成される請求項３２に記載のシステム。
【請求項３４】
前記衛星アンテナが、前記衛星のそれぞれを取り囲む球面空間全体よりも少ない部分の周りで複数方向の無線信号を送受信するよう構成される請求項３２に記載のシステム。
【請求項３５】
前記衛星が姿勢制御なしにランダム軌道で地球を周回する請求項１１に記載の方法。
【請求項３６】
前記衛星が姿勢制御なしにランダム軌道で地球を周回する請求項２２に記載の無線通信ルート。
【請求項３７】
前記リンキング情報が、前記無線通信ルートのノードとしての前記衛星の適切性を示す前記受信リンキング情報信号の質を含む請求項３６に記載の無線通信ルート。
【請求項３８】
前記送信元地上局が二つ以上の衛星からリンキング情報信号を受信し、前記リンキング情報信号の前記質に基づいて、データ伝送用の前記ノードとして衛星を選択する請求項３７に記載の無線通信ルート。 
【請求項３９】
前記衛星が非制御軌道で地球を周回する請求項１に記載の無線通信システム。
【請求項４０】
前記衛星が非制御軌道で地球を周回する請求項１１に記載の方法。
【請求項４１】
前記衛星が非制御軌道で地球を周回する請求項２２に記載の無線通信ルート。